(57)【要約】      （修正有）【課題】開き戸式のドアに設けるクローザーについて、ドア開放空間に占める装置の突出量を最小限に抑えるととともに、スムースなドア開閉操作を容易に行えるようにする。【解決手段】先端側に係合凸部２１ａを有したアーム２１とアーム基端側に連結されてアーム先端側を旋回させる付勢手段とアームを所定角度で固定する繋留手段を備えて開き戸式のドアの戸体上部に配設される本体２と、係合凸部２１ａが侵入・係合することで付勢手段による旋回動作に対し係合凸部２１ａの摺動方向を案内して戸体４を閉鎖方向に作動させるための所定形状の案内溝３１が下面に設けられてドアの戸枠５上部に配設される閉鎖用案内板３とからなる。【選択図】図１
2010236186.tif 000002
【特許請求の範囲】
【請求項１】
先端側に係合凸部を有したアームと前記アーム基端側に連結されて前記アーム先端側を旋回させる付勢手段と前記アームを所定角度で固定する繋留手段を備えて開き戸式のドアの戸体上部に配設される本体と、前記係合凸部が侵入・係合することで前記付勢手段による旋回動作に対し前記係合凸部の摺動方向を案内して前記戸体を閉鎖方向に作動させるための所定形状の案内溝が下面に設けられて前記ドアの戸枠上部に配設される閉鎖用案内板とからなり、前記係合凸部は、前記アーム先端側上面からピン状部材が上向きに突出してなるものであり、前記案内溝が少なくとも一端が前記閉鎖用案内板の側面に開放した開放端を有してこの開放端から前記係合凸部が前記案内溝に侵入・脱出するものとされ、前記戸板が完全閉鎖位置から所定開度以上に開くことにより、前記アームが前記戸板に対し所定角度に開いた状態で前記繋留手段により固定されるとともに、前記係合凸部が前記案内溝から脱出して前記戸板が開閉フリー状態となり、手動によるドア閉動作で前記係合凸部が案内溝に侵入し前記アームが所定角度以下に閉じることにより前記繋留手段が解除されるとともに前記付勢手段により前記アームを閉じながら前記係合凸部が前記案内溝で案内されて前記戸板が自動的に完全閉鎖位置となることを特徴としたドアクローザー。
【請求項２】
前記係合凸部は、前記アーム先端側上面に設けた取付け孔に基端側を挿設されたピン状部材が弾性手段で前記基端側を突出方向に付勢されながら先端側を前記取付け孔から突出・没入可能であることを特徴とする請求項１に記載したドアクローザー。
【請求項３】
前記閉鎖用案内板は、開放端のある側面の所定位置に該側面から下面に繋がるバイパス傾斜面が形成されており、前記係合凸部がドア閉動作により前記開放端に侵入せずに前記バイパス傾斜面に前記ピン状部材の上端側を当接した場合に、前記上端側を没入しながら前記バイパス傾斜面に沿って前記閉鎖用案内板の下面側まで前記係合凸部を登らせて前記案内溝に側方から侵入・係合させることを特徴とする請求項２に記載したドアクローザー。
【請求項４】
前記アームは、先端側の上下両面から上下方向に突設された一対の前記係合凸部が設けられており、前記閉鎖用案内板は、前記案内溝が両端側を同じ側面に開放した一対の前記開放端を有しているとともに前記案内溝を左右横向きにした状態で左右対称であることを特徴とする請求項１，２または３に記載したドアクローザー。
【請求項５】
前記本体部には、前記旋回動作を緩衝するための緩衝手段が設けられており、前記戸板が前記戸枠に当たる際の衝撃を緩和することを特徴とする請求項１，２，３または４に記載したドアクローザー。
【請求項６】
前記案内溝が、開口端付近は係合凸部の侵入角度にほぼ一致し、その後カーブしてから侵入角度に対し横向きに案内するようになっており、係合凸部の案内方向との角度、及び戸体のヒンジ部からの距離等の相互関係により、引戸の閉鎖方向への付勢力が変化する請求項１，２，３，４または５に記載したドアクローザー。
【発明の詳細な説明】
【技術分野】
【０００１】
本発明は、ドアクローザーに関し、殊に、開き戸式のドアを手動で閉める際に、閉め動作の終りの部分を自動的且つスムースに行うためのドアクローザーに関する。
【背景技術】
【０００２】
開き戸式のドアを手動で閉める際の終りの部分（全閉位置付近）の動作を自動的に行うとともに戸体（扉）が戸枠に当たる際の衝撃を緩和する装置として、例えば特開２００３−１２９７４１号公報に記載されているように、２本の揺動アームと戸体を閉鎖方向に付勢する付勢手段、及び閉鎖方向の勢いを緩衝する緩衝手段を備えたドアクローザーが周知である。
【０００３】
このようなドアクローザーを開き戸式のドアに設けることにより、手動で最後まで丁寧に閉めなくてもドアが開き放しになったり戸体が戸枠に強く当たったりすることを回避できる。しかし、このタイプのドアクローザーは、ドアが完全に開いた全開状態から完全に閉まった全閉状態に至るまでコイルバネ等からなる付勢手段が作用し続けるため、ドア開閉動作の全体に亘って比較的大きな力を要するものとなり、その操作性を犠牲にしたものとなっている。また、その付勢手段と緩衝手段を備えた本体と２本の揺動アームによりある程度嵩張るものとなるため、ドアを開けた際の開放空間を狭めてしまうとともに外観を悪化させてしまうという欠点もある。
【０００４】
これに対し、特開２００７−１７７４５９号公報等に記載されているように、戸体側に設けたピン状の駆動体とこれに係合して引き寄せながら戸体を閉鎖方向に付勢する係合体とを備えた基体とからなり、ドアの全閉位置付近だけ駆動体と係合体が係合し、これ以外は係合が解除されて戸体への付勢力が働かずに開閉フリー状態とするドアクローザーも周知である。
【０００５】
このように、戸枠側の駆動体と戸体側の基体とが分離可能とされて、ドアの全閉位置前後のみ駆動体と基体の係合体が係合して付勢力を発揮するものとしたことにより、手動によるドア開閉動作の操作性が大きく改善されるとともに、ドアの開放空間に占める突出部分を比較的小さく抑えることができる。
【０００６】
ところが、このように２本の揺動アームを要さず本体のケーシングも比較的コンパクトなものとなったとしても、本体が枠体側に配置されるものにおいては、ドア開放時に本体ケーシングが枠体からある程度突出することにより、引っ越し等の家具移動の際にこれが当たって邪魔になりやすいという欠点は、依然として充分には解消されていない。
【０００７】
また、このように一点に固定された駆動体に鈎状部品である係合体が係合して付勢手段で閉鎖方向に付勢する構成のものにあっては、ドア開閉操作において駆動体と係合体が係合して付勢力が作用する範囲が、鈎状部品自体の大きさに依存する関係で比較的小さいとともに、係合している全範囲で比較的強い付勢力が均一にかかることになり、係合・解除時の前後で必要とする力のギャップが大きくなりすぎることにより、開閉操作のスムースさが損なわれやすくなるとともに係合時から終了時までの閉じ速度も均一となるという点も問題となる。
【先行技術文献】
【特許文献】
【０００８】
【特許文献１】特開２００３−１２９７４１号公報
【特許文献２】特開２００７−１７７４５９号公報
【発明の概要】
【発明が解決しようとする課題】
【０００９】
本発明は、上記のような問題を解決しようとするものであり、開き戸式のドアに設けるクローザーについて、ドア開放空間に占める装置の突出量を最小限に抑えるととともに、スムースなドア開閉操作を容易に行えるようにすることを課題とする。
【課題を解決するための手段】
【００１０】
そこで、本発明は、先端側に係合凸部を有したアームと前記アーム基端側に連結されて前記アーム先端側を旋回させる付勢手段と前記アームを所定角度で固定する繋留手段を備えて開き戸式のドアの戸体上部に配設される本体と、前記係合凸部が侵入・係合することで前記付勢手段による旋回動作に対し前記係合凸部の摺動方向を案内して前記戸体を閉鎖方向に作動させるための所定形状の案内溝が下面に設けられて前記ドアの戸枠上部に配設される閉鎖用案内板とからなり、前記係合凸部は、前記アーム先端側上面からピン状部材が上向きに突出してなるものであり、前記案内溝が少なくとも一端が前記閉鎖用案内板の側面に開放した開放端を有してこの開放端から前記係合凸部が前記案内溝に侵入・脱出するものとされ、前記戸板が完全閉鎖位置から所定開度以上に開くことにより、前記アームが前記戸板に対し所定角度に開いた状態で前記繋留手段により固定されるとともに、前記係合凸部が前記案内溝から脱出して前記戸板が開閉フリー状態となり、手動によるドア閉動作で前記係合凸部が案内溝に侵入し前記アームが所定角度以下に閉じることにより前記繋留手段が解除されるとともに前記付勢手段により前記アームを閉じながら前記係合凸部が前記案内溝で案内されて前記戸板が自動的に完全閉鎖位置となることを特徴とした。
【００１１】
このように、アーム及びアームの基端側に付勢手段・繋留手段を有した本体を戸板側に設けるとともに、アームの係合凸部と係合して案内することにより戸板を閉鎖させる閉鎖用案内板を戸枠側に設けて両者を係合・分離可能なものとしながら、ドアの全閉位置前後の所定範囲だけ係合凸部と案内溝とが係合して戸板を閉鎖方向に付勢する構成としたことにより、係合が解除している範囲は戸板が開閉フリーとなって操作性に優れることに加え、ある程度の容積を有する本体はドア側に設けられて比較的薄い閉鎖用案内板が戸枠上部（上辺下面側）に配置されるものとして、ドアの放空間に占める突出量を最小限に抑えることができ、且つ、アームの長さに応じてドアクローザーの作動範囲を適度な範囲に設定できるとともに、案内溝の形状（案内方向・行程）により閉鎖方向の付勢力や速度を戸板の開度に応じて変化可能に設定することもできるため、ドア開閉動作のスムースさ容易に実現できるものとなる。
【００１２】
また、このドアクローザーにおいて、そのアームの係合凸部は、アーム先端側上面に設けた取付け孔に基端側を挿設されたピン状部材が弾性手段で基端側を突出方向に付勢されながら先端側を取付け孔から突出・没入可能なものとすれば、取付け精度が高くなくても充分な機能を発揮できるものとなり、この場合、その閉鎖用案内板は、開放端のある側面の所定位置に側面から下面に繋がるバイパス傾斜面が形成されており、係合凸部がドア閉動作で開放端に侵入せずにバイパス傾斜面にピン状部材の上端側を当接した場合に、上端側を没入しながらこのバイパス傾斜面に沿って閉鎖用案内板の下面側まで係合凸部を登らせて案内溝に側方から侵入・係合させることを特徴としたものとすれば、アームの係合凸部が閉鎖用案内板の開放端に正確に一致しない取付け精度であっても、ドアクローザーとしての機能を充分に発揮することができる。
【００１３】
さらに、上述したドアクローザーにおいて、そのアームは先端側の上下両面から上下方向に突設された一対の係合凸部が設けられており、その閉鎖用案内板は、案内溝が両端側を同じ側面に開放してなる一対の開放端を有しているとともに案内溝を左右横向きにした状態で左右対称となっているものとすれば、１種類のドアクローザーで左右の開き方向いずれの場合にも対応させることができる。
【００１４】
さらにまた、上述したドアクローザーにおいて、その本体部にはアームの旋回動作を緩衝するための緩衝手段が設けられており、戸板が戸枠に当たる際の衝撃を緩和することを特徴としたものとすれば、手動による開閉動作の際に力加減を調整する手間を省くこともできる。
【発明の効果】
【００１５】
戸板側に設けた本体アーム先端側の係合凸部が戸枠側の閉止用案内板の案内溝に係合することで戸板をドア全閉位置付近で自動閉鎖するものとした本発明によると、ドア開放空間に占める突出量を最小限に抑えるととともにスムースな開閉操作を容易に行うことができるものである。
【図面の簡単な説明】
【００１６】
【図１】（Ａ），（Ｂ），（Ｃ）は、本発明における実施の形態であるドアクローザーの構成とその動作を説明するための、戸枠の上辺を下側から見た底面図。
【図２】（Ａ）は図１のドアクローザー本体の平面図、（Ｂ）は（Ａ）の背面図、（Ｃ）は（Ａ）のＸ−Ｘ線に沿って本体のケーシングを切断した場合の断面図。
【図３】（Ａ），（Ｂ）は、図２（Ａ）の本体が作動する機構を説明するための取付け状態における水平方向の横断面図。
【図４】図１（Ｃ）のＹ−Ｙ線に沿う面で切断した拡大断面図。
【図５】（Ａ）は図２（Ａ）のアーム先端側の係合凸部の構成を示す部分断面図、（Ｂ）は（Ａ）の係合凸部の応用例を示す部分断面図。
【図６】（Ａ）は図１のドアクローザーにおいて、係合凸部がバイパス傾斜面から案内溝に侵入する場合を説明するための拡大した底面図、（Ｂ）は（Ａ）の縦断面図、（Ｃ）は係合凸部がバイパス傾斜面でバイパスして側方から案内溝に侵入した状態を示す縦断面図。
【発明を実施するための形態】
【００１７】
以下に、図面を参照しながら本発明を実施するための形態を説明する。
【００１８】
図１は、本発明における実施の形態のドアクローザー１の構成と作用を説明するための、戸枠５（上辺部分）を下側から見た状態（底面図）を示している。ドアクローザー１は、戸体４の上部前面側に取り付ける本体２と、戸枠５の上辺下面側に取り付ける閉鎖用案内板３とからなり、開き戸式のドアにおける全閉位置前後の所定範囲だけ、本体２から延出したアーム２１が先端側の係合凸部２１ａで閉鎖用案内板３の案内溝３１に係合して戸体４を閉鎖方向に付勢し、係合が解除された状態では戸体４が開閉フリーになる。
【００１９】
そして、本発明であるドアクローザー１は、上述した特許文献１に記載した従来のドアクローザーと比較した場合、本体２と閉鎖用案内板３（駆動体）とが分離する点で共通しているものの、アーム２１（係合体）が長いために旋回半径が大きい関係で係合範囲が大きいことに加え、閉鎖用案内板３がカーブ部分を備えた所定の長さを有する案内溝３１により係合凸部２１ａを案内しながら戸体４を閉鎖方向に付勢する点で、係合体に係合する駆動体が固定されたピン状部材である特許文献１のドアクローザーと異なっており、この相違点によりその作用も大きく異なっている。
【００２０】
図２は、図１に示したドアクローザー１の本体２の構成を詳細に説明するためのものであり、図２（Ａ）は本体２の拡大した平面図を示しており、図２（Ｂ）はその背面図、図２（Ｃ）は図（Ａ）のＸ−Ｘ線に沿って本体２のケーシング２２を切断して内部構造を露出した状態を示している。
【００２１】
図２（Ａ），（Ｂ）に示すように、本体２はアーム２１と、このアーム２１を作動させるための機構を備えた機構部２０とからなり、アーム２１は先端側の上面に設けた取付け孔から上向きに突出したピン状部材からなる係合凸部２１ａを備えており、その基端側には、後述するように先端側を旋回方向に付勢する機構、これを緩衝する機構、アーム２１を所定の角度で繋留して固定するための機構が各々配置されている。
【００２２】
図２（Ｃ）に示すように、本体２はアーム２１の基端側が機構部２０のケーシング２２内で軸２６により軸支された状態となっており、内部に付勢手段であるコイルバネ２３１と緩衝手段であるダンパ２３２を備えた直方体状の部材からなる作動体２３を備えており、この作動体２３に基端側を連結されたアーム２１が作動体２３の動作により先端側が旋回動作する。
【００２３】
即ち、作動体２３を構成する筺状の基部２３ａの開口端から筺状のスライド部２３ｂをその開口端側から挿入しており、スライド部２３ｂがコイルバネ２３１とダンパ２３２の作動により基部２３ａの開口端から突出・没入するようにスライドするようになっており、このスライド部２３ｂ先端側にアーム２１の基端側が連結されて軸２６との関係でレバー構造とされている。
【００２４】
本体２を戸板４に取り付けた状態の横断面図を示す図３（Ａ）を参照して、本体２における機構部２０の外箱であるケーシング２２は、作動体２３を内蔵している略平板状の部分と、これよりも高さのあるアーム２１の基端側をスリットを介して挿入しているブロック状の部分からなり、両端側のネジ孔に木ねじを挿通して戸板４の正面上部に取り付けられている。
【００２５】
そして、このアーム２１の基端側を挿入している側には、作動体２３のスライド部２３ｂが突出した位置でその先端側上面に設けた凸部２５１に係合してスライド部２３ｂを繋留する繋留手段としての鈎部材２５が設けられており、アーム２１の基端側でレバー構造の力点に相当する位置に設けた凸部２１ｃでスライド部２３ｂのスリット２３６に連結（係合）してコイルバネ２３１の牽引力がアーム２１に作用するようになっており、この鈎部材２５による繋留作用でコイルバネ２３１の牽引力に抗してアーム２１の戸板４表面に対する角度が固定されている。
【００２６】
そして、ドア閉動作によりアーム２１の係合凸部２１ａが閉鎖用案内板３の案内溝３１に侵入して案内され、アーム２１の先端側が閉方向に旋回させられることにより、鈎部材２５とスライド部２３ｂの凸部２５１との係合が解除され、付勢手段であるコイルバネ２３１の弾性反発による牽引力でスライド部２３ｂが基部２３ａ内に没入する方向に作動し、この動作により凸部２１ｃで基端側が連結されたアーム２１が戸板４に向かって倒れるように旋回する。
【００２７】
このような構成と機能を発揮する本体２を有した本実施の形態におけるドアクローザー１の動作について、再度図１を参照しながら詳細に説明すると、図１（Ａ）に示すように、ドアが開放して本体２と閉鎖用案内板３との係合が解除された状態から、手動にて戸板４を閉める動作を行った場合に、戸板４に対し所定角度で開いた状態で固定された本体２のアーム２１は、その先端側の係合凸部２１ａが、戸枠５側の閉鎖用案内板３下面側に設けた案内溝３１の開放端３１ａに一致し、この開放端３１ａから案内溝３１に侵入する。
【００２８】
すると、図１（Ｂ）に示すように、アーム２１の係合凸部２１ａは案内溝３１に係合しながら案内溝３１のカーブ部分を通過し、アーム２１が僅かに閉じ方向に倒れることにより、本体２１内でアーム２１の角度を固定していた鈎部材２５と凸部２５１の連結が解除され、コイルバネ２３１によりアーム２１先端側を戸板４に向かって閉じるように付勢されながら、戸板４を閉鎖方向に付勢して自動的にドアを閉める動作を行う。
【００２９】
そして、図１（Ｃ）及びそのＹ−Ｙ線に沿う断面図である図４に示すように、戸板４が戸枠５側の戸当たり５１に当接することでドアが完全閉鎖位置となる。尚、この完全閉鎖位置においても戸板４を閉鎖方向に付勢する力は作用し続けている。また、本実施の形態のドアクローザー１においては、本体２に緩衝手段としてのダンパ２３２を備えているため、コイルバネ２３１による付勢力や手動による戸板４の完全閉鎖直前の勢いを緩衝して、戸板４が戸枠５側に当たる際の衝撃を緩和するようになっており、ドア閉動作におけるスムースさをより実現しやすくしている。
【００３０】
さらに、本実施の形態のドアクローザー１は、アーム２１の係合凸部２１ａが閉鎖用案内板３下面に所定形状・所定長さで設けた案内溝３１により案内されるものであるところ、この案内溝３１は、開口端３１ａ付近は係合凸部２１ａの侵入角度にほぼ一致し、その後カーブしてから侵入角度に対し横向きに案内するようになっており、係合凸部２１ａの案内方向とアーム２１の角度、及び戸体４のヒンジ部からの距離等の相互関係により、引戸４の閉鎖方向への付勢力が傾斜的に変化するようになっている。
【００３１】
即ち、アーム２１による戸体４の閉鎖方向への付勢力は、手動による閉動作により繋留手段が解除された後に手動による勢いが弱まって、ドアクローザー１による自動的な作動力が最も必要とされる範囲で最も強くなり、ドア完全閉鎖位置前後付近ではやや弱まるように前記相互関係を設定している。
【００３２】
これにより、前記特許文献２に記載のドアクローザーにおいて係合している総ての範囲でほぼ均一に比較的強い付勢力が生じ、手動によるドアの開け始めに大きな力を要することに加え係合が解除した際に勢いが余って危険を伴いやすかったのに対し、本発明のドアクローザー１では、ドアの開け初めにおいては、比較的小さな力でも戸板４が開き初め、付勢力の強い部分も加速力が作用して容易に開くことができるため、力を入れすぎて勢いが余ることもなく手動によるドアの開閉が極めてスムースに行えるものとなる。尚、この戸板４にかかる付勢力の調整は、アーム２１の長さに応じて閉鎖用案内板３下面に形成する案内溝の長さ・案内方向等の形状を設計することにより、適宜行うことができる。
【００３３】
図５（Ａ）は、本実施の形態のドアクローザー１におけるアーム２１の係合凸部２１ａが突出している先端側部分の拡大した断面図を示すものであり、図に示すように、係合凸部２１ａは横向きＴ字状のアーム２１先端部の一方の端部に設けた取付け孔内にピン状部材（円柱状部材）の基端側を脱抜不能に挿入してその底面側を突出方向に付勢するようにコイルバネ２１０を配設したものであり、係合凸部２１ａが上下方向に突出・没入可能とされており、その先端側が閉鎖用案内板３の案内溝３１の底部に当接した場合でも、これに侵入しやすい。
【００３４】
図５（Ｂ）は、図５（Ａ）のアーム２１の応用例としてのアーム２２を示しており、このアーム２２は先端側の係合凸部２１ａの反対側（下側）にも係合凸部２１ｃが設けられて、上下一対となっている。アーム２２の先端側をこのような構成としたことにより、図１に示したように閉鎖用案内板３が案内溝３１を左右方向にして案内溝３１を含む下面側の形状が左右対称となっているものと組み合わせた場合には、開き戸式のドアが左右いずれの開き方向であっても、そのまま対応することができるため、右開き用と左開き用の２種類の製品を用意する必要がなくなり、設計や注文時の煩わしさや間違いがなく、コスト的にも有利なものとなる。
【００３５】
図６は、本実施の形態のドアクローザー１において、閉鎖用案内板３に設けたバイパス傾斜面３４，３５の機能を説明するためのものである。図６（Ａ）の底面図に示すように、ドア閉動作によりアーム２１の係合凸部２１ａが閉鎖用案内板３に設けた案内溝３１の開放端３１ａに浸入しないこともあり得る。
【００３６】
この場合、開放端３１ａ，３１ｂに各々近接した位置に、その側面から下面に繋がるバイパス傾斜面３４，３５があることにより、係合凸部２１ａの周面が閉鎖用案内板３の側面を滑りながら、図６（Ｂ）に示すように近接するバイパス傾斜面３４に係合凸部２１ａが侵入して、そのピン状部材先端側を没入させながらバイパス傾斜面３４上を滑って閉鎖用案内板３の下面まで達した後、係合凸部２１ａが案内溝３１に侵入・係合し、アーム２２は先端側の係合凸部２１が閉鎖用案内板３に激突することもない。
【００３７】
そのため、このバイパス傾斜面３４，３５が閉鎖用案内板３に設けられたことで、閉鎖用案内板３及び本体２の取付け精度がきわめて高くなくても、或いは、使用によりこれらの位置関係にズレが生じた場合であっても、ドアクローザー１はその機能を充分に発揮できるものとなる。
【００３８】
以上、述べたように、開き戸式のドアに設けるドアクローザーについて、本発明により、ドア開放空間に占める装置の突出量を最小限に抑えるととともに、スムースなドア開閉操作を容易に行えるものである。
【符号の説明】
【００３９】
１  ドアクローザー、２  本体、３  閉鎖用案内板、４  戸板、５  戸枠、２１，２２  アーム、２１ａ，２１ｂ  係合凸部、２１ｃ，２５１  凸部、２５  鈎部材、２６  軸、３１  案内溝、３１ａ，３１ｂ  開放端、３４，３５  バイパス傾斜面、２１０，２１１，２３１  コイルバネ、２３２  ダンパ
【図１】
2010236186.tif 000003
【図２】
2010236186.tif 000004
【図３】
2010236186.tif 000005
【図４】
2010236186.tif 000006
【図５】
2010236186.tif 000007
【図６】
2010236186.tif 000008